(57)【要約】【課題】着色された液体を電極間で移動させて表示を行う表示装置で、同一の表示内容を維持する場合には特に電圧を掛け続ける必要がなく、かつ、表示変更はより低電圧にて行える低消費電力で高コントラストの見やすい表示装置を提供する。【解決手段】水平隔壁１３の移動ホール１５を介して上下分離した上層空間１４ａと下層空間１４ｂとの間での第１，第２，第３電極板（１）１１ａ，（２）１１ｂ，（３）１１ｃに対する選択的な電圧印加によって誘電体の着色液体１７を移動させて白色表示／黒色表示の切り換えを行うもので、移動ホール１５には上下層空間１４ａ，１４ｂに渡り毛細管現象を作用させる柱状の液体誘導材１８を設けることで、着色液体１７の移動初期（移動後）でもその液体移動の先端（後端）を移動先（移動元）空間１４ａ（１４ｂ）の電極板（１）１１ａ（（２）１１ｂ）に到達させ低印加電圧で強い移動力（保持力）を与える。【選択図】      図２
2006106501.tif 000002
【特許請求の範囲】
【請求項１】
水平隔壁を介して１画素単位で上下分離された上層空間および下層空間と、
前記上層空間に設けられた第１電極と、
前記下層空間に設けられた第２電極と、
前記水平隔壁に内蔵された第３電極と、
前記上層空間と下層空間とを連通させる移動ホールと、
この移動ホールに対し前記上層空間と下層空間との間に渡って設けられ毛細管作用を有する液体誘導部材と、
前記空間内に封入され、前記第１乃至第３電極に対し選択的に電位を掛けることにより、前記移動ホールの液体誘導部材を通して前記上層空間または下層空間の何れか一方の空間に移動する誘電体の着色液体と、
を備えたことを特徴とする表示装置。
【請求項２】
前記移動ホールは、１画素領域に対応する水平隔壁の中心に設けたことを特徴とする請求項１に記載の表示装置。
【請求項３】
前記移動ホールは、１画素領域に対応する水平隔壁の端に寄って設けたことを特徴とする請求項１に記載の表示装置。
【請求項４】
水平隔壁を介して１画素単位で上下分離された上層空間および下層空間と、
前記上層空間に設けられた第１電極と、
前記下層空間に設けられた第２電極と、
前記水平隔壁に内蔵された第３電極と、
前記水平隔壁の端に寄って設けられ前記上層空間と下層空間とを連通させる移動ホールと、
前記水平隔壁の上面側の外周縁が接する前記上層空間の壁面位置および前記水平隔壁の下面側の外周縁が接する前記下層空間の壁面位置にそれぞれ設けられた上層壁面の溝および下層壁面の溝と、
前記空間内に封入され、前記第１乃至第３電極に対し選択的に電位を掛けることにより、前記移動ホールを通して前記上層空間または下層空間の何れか一方の空間に移動する誘電体の着色液体と、
を備えたことを特徴とする表示装置。
【請求項５】
水平隔壁を介して１画素単位で上下分離された上層空間および下層空間と、
前記上層空間に設けられた第１電極と、
前記下層空間に設けられた第２電極と、
前記水平隔壁に内蔵された第３電極と、
前記水平隔壁の端に寄って設けられ前記上層空間と下層空間とを連通させる移動ホールと、
この移動ホールにより連通された前記上層空間から下層空間までの連通壁面に設けられた上下層間で連続するスリットと、
前記空間内に封入され、前記第１乃至第３電極に対し選択的に電位を掛けることにより、前記移動ホールを通して前記上層空間または下層空間の何れか一方の空間に移動する誘電体の着色液体と、
を備えたことを特徴とする表示装置。
【請求項６】
水平隔壁を介して１画素単位で上下分離された上層空間および下層空間と、
前記上層空間に設けられた第１電極と、
前記下層空間に設けられた第２電極と、
前記水平隔壁に内蔵された第３電極と、
前記上層空間と下層空間とを連通させる移動ホールと、
この移動ホールの中心位置に対応して前記下層空間から上層空間へまたは前記上層空間から下層空間へ突き出して立設された液体誘導部材と、
前記空間内に封入され、前記第１乃至第３電極に対し選択的に電位を掛けることにより、前記移動ホールの液体誘導部材を通して前記上層空間または下層空間の何れか一方の空間に移動する誘電体の着色液体と、
を備えたことを特徴とする表示装置。
【請求項７】
前記移動ホールの平面形状は前記水平隔壁の一端に沿った細長形状であることを特徴とする請求項４ないし請求項６の何れか１項に記載の表示装置。
【請求項８】
水平隔壁を介して１画素単位で上下分離された上層空間および下層空間と、
前記上層空間に設けられた第１電極と、
前記下層空間に設けられた第２電極と、
前記水平隔壁に内蔵された第３電極と、
前記上層空間と下層空間とを連通させる移動ホールと、
前記空間内に封入され、前記第１乃至第３電極に対し選択的に電位を掛けることにより、前記移動ホールを通して前記上層空間または下層空間の何れか一方の空間に移動する誘電体の着色液体とを備えた表示装置であって、
前記誘電体の着色液体は、固体面を完全に濡らす濡れ特性を有することを特徴とする表示装置。
【発明の詳細な説明】
【技術分野】
【０００１】
本発明は、着色された液体を電極間で移動させて表示を行う表示装置に関する。
【背景技術】
【０００２】
従来、低消費電力で表示動作する表示装置としては、液晶表示装置以外でも様々な表示装置が研究されているが、近年では、着色された誘電体の液体を電極間で挟み移動させ、着色の有無を視認させることで表示を行う表示装置が考えられている（例えば、特許文献１参照。）。
【０００３】
この表示装置は、複数の容器内の一部に着色液体を充填して容器内に気泡を形成し、着色液体を静電力による駆動手段で移動させることに伴い気泡の位置も移動させ、これを視認可能な容器の表示部を画素として用いるものである。
【特許文献１】特開平０８−２５４９６２号公報
【発明の開示】
【発明が解決しようとする課題】
【０００４】
しかしながら、前記従来の着色液体を静電力によって移動させるようにした表示装置では、電極間に挟まれた着色液体と気泡は、その電極間の仕切のない同一の空間内において隣り合わせた位置となり、例えば空間内の一方に寄った電極により静電力を掛けると、着色液体が空間内の一方の側に寄って移動位置するのに伴い、これに入れ替わるように気泡が空間内の他方の側に寄って移動位置するものであるため、この着色液体と気泡の位置をある方向へ移動位置させた表示状態のまま維持するには、そのときの静電力を維持するための電圧を掛け続けなければならず、また、表示装置自体に衝撃が加わるなどして該着色液体および気泡の入っている空間が強く揺らされると、例えそのときの静電力を維持するための電圧を掛けたままにしても、着色液体と気泡の位置をそのまま維持するのが困難になる問題がある。
【０００５】
本発明は、前記のような問題に鑑みなされたもので、同一の表示内容を維持する場合には特に電圧を掛け続ける必要がなく、かつ、表示変更はより低電圧にて行える低消費電力で表示の変更および表示の安定維持が可能な高コントラストの見やすい表示装置を提供することを目的とする。
【課題を解決するための手段】
【０００６】
本発明の請求項１に記載の表示装置では、第２，第３電極をゼロ電位とし、第１電極に正電位を掛けることで上層空間に電場を与えると、誘電体の着色液体が移動ホールの液体誘導部材を通して上層空間へ移動されて着色表示の状態となり、第１，第３電極をゼロ電位とし、第２電極に正電位を掛けることで下層空間に電場を与えると、誘電体の着色液体が同移動ホールの液体誘導部材を通して下層空間へ移動されて無着色表示の状態となる。
【０００７】
これによれば、着色表示または無着色表示の何れの状態においても、着色液体の先端面が液体誘導部材の毛細管作用によりその部材端面まで到達して電極に近付くので、着色液体に対し低い印加電圧で強い力を加えることができ、低消費電力で安定表示且つ高コントラストな表示装置を実現できることになる。
【０００８】
本発明の請求項２に記載の表示装置では、前記請求項１に記載の表示装置にあって、前記移動ホールを、１画素領域に対応する水平隔壁の中心に設けたので、表示を変更しないときの着色液体の安定状態をより高く維持できることになる。
【０００９】
本発明の請求項３に記載の表示装置では、前記請求項１に記載の表示装置にあって、前記移動ホールを、１画素領域に対応する水平隔壁の端に寄って設けたので、無着色表示の状態での移動ホールの部分に対応した着色部分をより目立たなくできることになる。
【００１０】
本発明の請求項４に記載の表示装置では、第２，第３電極をゼロ電位とし、第１電極に正電位を掛けることで上層空間に電場を与えると、誘電体の着色液体が水平隔壁端の移動ホールから上層壁面の溝に広がりながら上層の全体へと移動されて着色表示の状態となり、第１，第３電極をゼロ電位とし、第２電極に正電位を掛けることで下層空間に電場を与えると、誘電体の着色液体が同水平隔壁端の移動ホールから下層壁面の溝に広がりながら下層の全体へと移動されて無着色表示の状態となる。
【００１１】
これによれば、着色表示または無着表示の何れの状態に切り替える場合でも、水平隔壁の上下面の各外周に接した壁面の溝に残留したまま保持されている着色液体を足かがりにして各空間の外側から空間内部へと容易に着色液体を移動させることができ、低消費電力で安定表示且つ高コントラストな表示装置を実現できることになる。
【００１２】
本発明の請求項５に記載の表示装置では、第２，第３電極をゼロ電位とし、第１電極に正電位を掛けることで上層空間に電場を与えると、誘電体の着色液体が上下層間連続スリットのある移動ホールを通して上層空間へ移動されて着色表示の状態となり、第１，第３電極をゼロ電位とし、第２電極に正電位を掛けることで下層空間に電場を与えると、誘電体の着色液体が同上下層間連続スリットのある移動ホールを通して下層空間へ移動されて無着色表示の状態となる。
【００１３】
これによれば、着色表示または無着色表示の何れの状態においても、着色液体の先端面が上下層間スリットの毛細管作用によりそのスリット上下端部まで到達して電極に近付くので、着色液体に対し低い印加電圧で強い力を加えることができ、低消費電力で安定表示且つ高コントラストな表示装置を実現できることになる。
【００１４】
本発明の請求項６に記載の表示装置では、第２，第３電極をゼロ電位とし、第１電極に正電位を掛けることで上層空間に電場を与えると、誘電体の着色液体が液体誘導部材の立設された移動ホールを通して上層空間へ移動されて着色表示の状態となり、第１，第３電極をゼロ電位とし、第２電極に正電位を掛けることで下層空間に電場を与えると、誘電体の着色液体が同液体誘導部材の立設された移動ホールを通して下層空間へ移動されて無着色表示の状態となる。
【００１５】
これによれば、着色表示または無着色表示の何れの状態においても、着色液体の先端部が液体誘導部材の表面張力作用によりその部材先端部まで到達して電極に近付くので、着色液体に対し低い印加電圧で強い力を加えることができ、低消費電力で安定表示且つ高コントラストな表示装置を実現できることになる。
【００１６】
本発明の請求項７に記載の表示装置では、前記請求項４ないし請求項６の何れか１項に記載の表示装置にあって、前記移動ホールの平面形状は前記水平隔壁の一端に沿った細長形状であるので、着色液体の上下層間での移動が空間一端に沿った移動ホールを通してよりスムーズに行われることになる。
【００１７】
本発明の請求項８に記載の表示装置では、第２，第３電極をゼロ電位とし、第１電極に正電位を掛けることで上層空間に電場を与えると、誘電体の着色液体が移動ホールを通して上層空間へ移動されて着色表示の状態となり、第１，第３電極をゼロ電位とし、第２電極に正電位を掛けることで下層空間に電場を与えると、誘電体の着色液体が同移動ホールを通して下層空間へ移動されて無着色表示の状態となる。そして、前記誘電体の着色液体は、固体面を完全に濡らす濡れ特性を有するので、上下層空間の全表面に着色液体の薄膜が形成される。
【００１８】
これによれば、着色表示または無着表示の何れの状態に切り替える場合でも、完全な濡れ特性を有し空間全域に形成された着色液体の薄膜を足かがりに、固体表面との摩擦なく容易に着色液体を移動させることができ、低消費電力で安定表示且つ高コントラストな表示装置を実現できることになる。
【発明の効果】
【００１９】
本発明の請求項１に記載の表示装置によれば、着色表示または無着色表示の何れの状態においても、着色液体の先端面が液体誘導部材の毛細管作用によりその部材端面まで到達して電極に近付くので、着色液体に対し低い印加電圧で強い力を加えることができ、低消費電力で安定表示且つ高コントラストな表示装置を実現できるようになる。
【００２０】
本発明の請求項４に記載の表示装置によれば、着色表示または無着表示の何れの状態に切り替える場合でも、水平隔壁の上下面の各外周に接した壁面の溝に残留したまま保持されている着色液体を足かがりにして各空間の外側から空間内部へと容易に着色液体を移動させることができ、低消費電力で安定表示且つ高コントラストな表示装置を実現できるようになる。
【００２１】
本発明の請求項５に記載の表示装置によれば、着色表示または無着色表示の何れの状態においても、着色液体の先端面が上下層間スリットの毛細管作用によりそのスリット上下端部まで到達して電極に近付くので、着色液体に対し低い印加電圧で強い力を加えることができ、低消費電力で安定表示且つ高コントラストな表示装置を実現できるようになる。
【００２２】
本発明の請求項６に記載の表示装置によれば、着色表示または無着色表示の何れの状態においても、着色液体の先端部が液体誘導部材の表面張力作用によりその部材先端部まで到達して電極に近付くので、着色液体に対し低い印加電圧で強い力を加えることができ、低消費電力で安定表示且つ高コントラストな表示装置を実現できるようになる。
【００２３】
本発明の請求項８に記載の表示装置によれば、着色表示または無着表示の何れの状態に切り替える場合でも、完全な濡れ特性を有し空間全域に形成された着色液体の薄膜を足かがりに、固体表面との摩擦なく容易に着色液体を移動させることができ、低消費電力で安定表示且つ高コントラストな表示装置を実現できるようになる。
【００２４】
よって、本発明によれば、低消費電力で安定表示且つ高コントラストの見やすい表示装置を提供できる。
【発明を実施するための最良の形態】
【００２５】
以下図面により本発明の実施の形態について説明する。
【００２６】
（第１実施形態）
図１は、本発明の第１実施形態に係る表示装置の１画素対応の構成を示す断面図である。
【００２７】
図２は、前記第１実施形態に係る表示装置の表示動作を説明するための断面図であり、同図（Ａ）は白色表示状態を示す断面図、同図（Ｂ）は黒色表示状態を示す断面図である。
【００２８】
この表示装置は、１画素につき１辺ｗの正方形の第１電極板（１）１１ａ、第２電極板（２）１１ｂを備え、この第１電極板（１）１１ａと第２電極板（２）１１ｂとは、この表示画素の周囲を正方形に囲む高さ２ｄ＋ｄｍの垂直隔壁（誘電体）１２に対応した空間を介して当該画素の表面側と裏面側とに平行にして対向配置される。
【００２９】
この第１電極板（１）１１ａと第２電極板（２）１１ｂとによる対向空間の中央部分には、当該各電極板（１）１１ａ，（２）１１ｂと同一の大きさの１辺ｗの正方形の第３電極板（３）１１ｃが平行配置されると共に、この第３電極板（３）１１ｃを間に挟み込んだ１辺ｗ×高さｄｍの正方形の水平隔壁（誘電体）１３が平行配置され、それぞれ高さｄの上層空間１４ａと下層空間１４ｂが形成される。
【００３０】
第３電極板（３）１１ｃおよび水平隔壁１３の中心位置には、一辺ｈｗ（＜＜ｗ）（例えばμｍ単位）の正方形の移動ホール１５が設けられ、上層空間１４ａと下層空間１４ｂとが一部連通される。
【００３１】
そして、この正方形の移動ホール１５には、一辺ｈｗ×高さ２ｄ＋ｄｍの正四角柱からなる液体誘導材１８が、第１電極板（１）１１ａと第２電極板（２）１１ｂとの間に接触挾持されるようにして立設される。この液体誘導材１８は、例えば繊維構造や多孔質構造の物質を用いて構成され、四方八方に通じ互いに交錯する細い隙間の空間を無数に有するもので、その一部が液体に浸されると毛細管現象の作用を来し全体に浸透して常時液体で満たされた状態となる。
【００３２】
前記第１電極板（１）１１ａは透明電極であり、この第１電極板（１）１１ａは画素表面を構成するガラス板１６により被覆される。また水平隔壁１３の壁面および垂直隔壁１２の壁面は、何れも白色に着色される。
【００３３】
さらに、図示はしないが、第１電極板（１）１１ａおよび第２電極板（２）１１ｂそれぞれと接する上層空間１４ａ側および下層空間１４ｂ側の表面は絶縁用の薄膜層により覆われる。
【００３４】
そして、上層空間１４ａおよび下層空間１４ｂからなる一連の空間１４ａ，１４ｂの内部には、当該一連空間１４ａ，１４ｂの容積の略半分の量で黒色に着色した液体（誘電体）１７が封入される。
【００３５】
この表示装置では、後述にて説明するように、第１〜第３電極板（１）１１ａ〜（３）１１ｃに対して選択的に電圧を印加することで、着色液体（誘電体）１７を上層空間１４ａの側または下層空間１４ｂの側へ移動させ、図２（Ａ）に示すように、下層空間１４ｂの側へ移動させた場合には、画素表面からみて白色表示の状態となり、図２（Ｂ）に示すように、上層空間１４ａの側へ移動させた場合には、画素表面からみて黒色表示の状態となる。
【００３６】
この場合、着色液体（誘電体）１７の移動ホール１５には、その一端と他端を第１電極板（１）１１ａと第２電極板（２）１１ｂとに接触させた液体誘導材１８を立設させているので、移動初期であっても、移動ホール１５に設けた液体誘導材１８の部分では、着色液体１７は該液体誘導材１８に浸透して第１電極板（１）１１ａにまで到達し接触したまま保持されているので、この部分の着色液体１７にはその移動初期から高い電位が加わることになり、したがって電場による力も大きく、上下層空間１４ａ，１４ｂ間での着色液体１７の移動は非常にスムーズに行われる。
【００３７】
なお、着色液体（誘電体）１７を、図２（Ａ）に示すように、下層空間１４ｂの側へ移動させた場合でも、移動ホール１５に合わせて立設させた液体誘導材１８の位置に対応して着色液体１７が浸透した液体誘導材１８の見える状態となるが、当該液体誘導材１８の先端面積ｈｗ2は白色着色された水平隔壁１３の全体面積ｗ2に比較して非常に小さいため、当該水平隔壁１３の白色に埋もれて認識されない。
【００３８】
次に、前記構成の第１実施形態の表示装置における表示動作について、より詳細に説明する。
【００３９】
誘電体である着色液体１７に電場が掛かると、この液体１７は分極する。分極した着色液体１７にかかっている電場が一様ではない(空間的に変化している)ところでは、着色液体１７はその分極の向きと電場成分の偏微分との関係に応じて電場から力を受ける。
【００４０】
着色液体１７の各部分が受ける力の大きさと向きは、着色液体１７の各部分の分極を双極子モーメントで近似し、各双極子モーメントの成分とそれぞれの双極子の位置での電場成分の偏微分とから考察できる。
【００４１】
双極子モーメントをＰ、電場をＥ、双極子が受ける力をＦとしたとき、
Ｆ＝(Ｐ・∇)Ｅ
である（Ｐ、Ｅ、Ｆはベクトル、∇はナブラ）。
【００４２】
このため、上層空間１４ａ、下層空間１４ｂ、移動ホール１５の範囲に適切な電場（電位の変化）を作り出すことで、液体誘導材１８を通して着色液体１７を上層空間１４ａから下層空間１４ｂへ、あるいは下層空間１４ｂから上層空間１４ａへと移動させる原動力が得られる。
【００４３】
図３は、前記第１実施形態の表示装置において第２電極板（２）１１ｂと第３電極板（３）１１ｃを０Ｖとし第１電極板（１）１１ａに１０Ｖの正電圧を印加した場合の画素内空間の電位分布イメージを示す図である。
【００４４】
この図３で示した電位分布イメージ図は、画素内空間断面の各点での電位を三次元的に表現した図である。
【００４５】
画素内空間断面の各点での電位は上方向の高さで表され、三次元の図の底面を構成する辺のうち、図示手前側の長辺（横軸）が第２電極板（２）１１ｂに対応する位置であり、当該軸上での電位は０Ｖとなる。また、図示奥側にあるこれと平行な長辺が第１電極板（１）１１ａに対応する位置であり、当該軸上での電位は１０Ｖとなる。すなわち、この２つの長辺に直交する短辺に沿う方向に、奥側が上層の電位、手前側が下層の電位、その半分あたりのところが水平隔壁層の電位となる。
【００４６】
上層空間１４ａでは、第１電極板（１）１１ａの１０Ｖから第３電極板（３）１１ｃの０Ｖ近くへと急激に電位が変化するが、液体誘導材１８を設けた移動ホール１５の位置に対応した中央付近の上層部分ではそれより緩やかに電位が変化し、下層部分で更になだらかに変化して第２電極板（２）１１ｂで０Ｖとなる。そして、移動ホール１５の下方あたりを除く下層空間１４ｂの電位はどこも略０Ｖである。
【００４７】
図４は、前記図３で示した画素内空間の電位分布イメージに対応する電場分布イメージを示す図である。
【００４８】
電場については、電位の傾きから求めることができる。
【００４９】
この図４における３次元の電場分布イメージ図では、上方向の高さが電場の強さ（大きさ・絶対値）を表すもので、第１電極板（１）１１ａ側の上層空間１４ａの電場は非常に強いが、第２電極板（２）１１ｂ側の下層空間１４ｂの電場は非常に弱いことが分かる。
【００５０】
上層空間１４ａに対応する電場同士を比べると、移動ホール１５の上あたりの電場はそれ以外の電場より弱い。移動ホール１５の上下方向に対応した電場については、上層空間１４ａ、移動ホール１５内、下層空間１４ｂと下に行くほど電場は弱くなる。下層空間１４ｂでは移動ホール１５の下から外側にいくほど電場は弱くなり、移動ホール１５から離れた水平隔壁の下では電場は殆どない。
【００５１】
すなわち、図２（Ａ）に示すように、最初、着色液体１７が下層空間１４ｂにあるときに、第２電極板（２）１１ｂと第３電極板（３）１１ｃを０Ｖにして第１電極板（１）に１０Ｖの正電圧を印加すると、図４で示した電場分布イメージからも分かるように、液体誘導材１８を設けた移動ホール１５から離れたところの液体１７はほとんど分極しないが、移動ホール１５の中つまり液体誘導材１８の中央部と移動ホール１５の下つまり液体誘導材１８の下部とその周辺の液体１７が分極する。この着色液体１７における分極の大雑把な方向は、図３で示した電位分布イメージから推測可能である。
【００５２】
この際、液体誘導材１８中央部の液体１７と液体誘導材１８下部の液体１７には略上向き、また下層の液体１７で液体誘導材１８より外側の液体１７には概ね液体誘導材１８のある移動ホール１５の下方へと向かう力が加わる。これにより移動ホール１５に設けた液体誘導材１８に浸透している液体１７は上層空間１４ａへと上がり、また液体誘導材１８の下部にある液体１７は当該液体誘導材１８の上部へと上がり、さらに下層の外側にある液体１７は液体誘導材１８の下部へと入って行く。
【００５３】
そして、移動ホール１５の液体誘導材１８を通して上層空間１４ａに上がってきた着色液体１７は、同じ原理による力を受けて、その一部は更に上へ、一部は液体誘導材１８から流出して第１電極板（１）１１ａと水平隔壁１３で挟まれた空間の奥へと入って行く。
【００５４】
この際、上層空間１４ａである水平隔壁１３の上に入って来た着色液体１７は、そこの強い電場により強く分極はするが、当該電場は端のあたりを除いて略一様なので特には力を受けない。しかし、移動ホール１５にある液体誘導材１８を介して後から次々と上がって上層空間１４ａに入って来る着色液体１７に押される形で上層空間１４ａの端の方へと移動して行く。
【００５５】
一方、水平隔壁１３の下にある下層空間１４ｂでの大部分の着色液体１７については、当該下層空間１４ｂの電場は略零なので殆ど力を受けない。しかし、液体１７には表面張力によりひとつになろうとする力が働くので、これら下層部分の液体１７も、前記液体誘導材１８を通り上層空間１４ａへと移動する液体１７に引っ張られて当該液体誘導材１８のある移動ホール１５へと動いていく。
【００５６】
このように、第２電極板（２）１１ｂと第３電極板（３）１１ｃを０Ｖにして第１電極板（１）に１０Ｖの正電圧を印加することにより得られる電場空間と液体誘導材１８の毛細管現象、着色液体１７の表面張力、および後ろから押される力などの総合作用の結果、全体としての着色液体１７は、電場の弱い下層空間１４ｂの領域から電場の強い上層空間１４ａの領域へと移動して行く。
【００５７】
この際、着色液体１７の下層空間１４ｂから上層空間１４ａへの移動初期であっても、移動ホール１５に設けた液体誘導材１８の部分では、着色液体１７は該液体誘導材１８に浸透して第１電極板（１）１１ａにまで到達し接触したまま保持されているので、この部分の着色液体１７にはその移動初期から高い電位が加わることになり、したがって電場による力も大きく、印加電圧を高くしなくても強力且つ高速に着色液体１７の上層への移動（表示の白→黒切り換え）が可能になる。
【００５８】
一方で、着色液体１７が上層空間１４ａにあるときに、これを下層空間１４ｂへと移動させる時には、第１電極板（１）１１ａと第３電極板（３）１１ｃに０Ｖ、第２電極板（２）１１ｂに１０Ｖを印加すればよく、前記同様の原理によって着色液体１７は下層空間１４ｂへと移動する。
【００５９】
この場合も、着色液体１７の上層空間１４ａから下層空間１４ｂへの移動初期には、移動ホール１５に設けた液体誘導材１８の部分では、着色液体１７は該液体誘導材１８に浸透して第２電極板（２）１１ｂにまで到達し接触したまま保持されているので、この部分の着色液体１７にはその移動初期から高い電位が加わることになり、したがって電場による力も大きく、印加電圧を高くしなくても強力且つ高速に着色液体１７の下層への移動（表示の黒→白切り換え）が可能になる。
【００６０】
そして、この表示装置では、水平隔壁１３の非常に小さな移動ホール１５を介して上下分離した上層空間１４ａと下層空間１４ｂとの間での着色液体１７の移動によって表示の白／黒切り換えを行うので、この着色液体１７が他の層の空間へ勝手に移動してしまうのを阻止することができ、電場の力により、着色液体１７を上層空間１４ａまたは下層空間１４ｂに移動させる場合にはそのための印加電圧を小さく設定することができる。
【００６１】
そして、この表示装置では、着色液体１７を一旦上層空間１４ａまたは下層空間１４ｂに移動させてしまうと、その状態を維持するのに各電極板（１）１１ａ〜（３）１１ｃ間に特に電圧を掛ける必要がない。
【００６２】
熱運動や振動などによる外力が加わって、表示が乱されるかもしれないことに備えて電圧をかけておく場合にも、液体誘導材１８の効果によって強い力を加えることができるので、着色液体１７を現在の層内に強く維持することができる。
【００６３】
また、白色表示／黒色表示に応じて着色液体１７を移動させる空間を、水平隔壁１３の移動ホール１５を介して上下分離した上層空間１４ａと下層空間１４ｂとしたので、その空間が横に設けられている場合に比べて、表示として利用できる面積（開口率）を大きくとることができる。
【００６４】
液体誘導材１８は移動ホール１５部に配置されるので、開口率は液体誘導材１８がない場合と同等で悪影響はない。
【００６５】
したがって、前記構成の第１実施形態の表示装置によれば、表示内容を変えるときは小さな電力で大きな力を着色液体１７に作用させ、また表示内容を変えないときには特に電力を加える必要がなく、非常に低消費電力で、高コントラスト、且つ広い視野角の見やすい表示装置を実現できる。
【００６６】
また、各電極板１１ａ，１１ｂ，１１ｃを上層と下層を分離構成する広い領域に面して設けたので、当該各電極板１１ａ，１１ｂ，１１ｃの面積を広く、各電極板１１ａ，１１ｂ，１１ｃ間の距離を狭くでき、低消費電力で強い電場を広い領域に作り出すことができる。
【００６７】
なお、前記第１実施形態の表示装置において、移動ホール１５および液体誘導材１８を設ける位置は水平隔壁１３および第３電極板（３）１１ｃの中央でなくてもよい。
【００６８】
また、前述したように、強い衝撃などが加わっても表示が乱れないようにするために、表示内容が変更されない時でも電圧を掛けるようにしてもよい。その場合でもより低消費電力化を図るため、表示を変更する時よりも弱い電圧を掛ける構成とする。あるいは、間欠的に電圧をかけて、乱されたかもしれない表示を一定時間ごとに復元する構成としてもよい。これらの場合にも液体誘導材１８があるために強い保持力があるので、液体誘導材１８がない場合より弱い電圧で可能となる。
【００６９】
また、前記第１実施形態の表示装置では、第３電極板（３）１１ｃは水平隔壁１３の中に挟み込むようにして設けたが、水平隔壁１３の上面や下面に設けてもよい。
【００７０】
また、前記第１実施形態の表示装置において、各電極板（１）１１ａ〜（３）１１ｃには直流電圧を掛ける構成としたが、交流電圧を掛けてもよい。例えば着色液体１７を上層空間１４ａへ移動させる場合、第１電極板（１）１１ａには第３電極板（３）１１ｃと逆相で、第２電極板（２）１１ｂには第３電極板（３）１１ｃと同相で、３つの電極板に対し１０Ｖと０Ｖを一定周期で切り替えて掛ける構成とする。
【００７１】
また、前記第１実施形態の表示装置において、表示画素の平面形状は正方形として構成したが、長方形など他の形状であってもよい。
【００７２】
また、電極板の数は３つに限定されるものではなく、着色液体（誘電体）１７を上層空間１４ａと下層空間１４ｂとの間で移動ホール１５の液体誘導材１８を通し電場の強さの違いにより移動させるものであれば、それ以上の極板数あるいはそれ以下の極板数であってもよい。
【００７３】
また、前記第１実施形態の表示装置では、各電極板（１）１１ａ〜（３）１１ｃは何れも表示領域にぴったり当て嵌まる面積として構成したが、表示領域より狭い面積でもよい。あるいは、表示領域より広い面積として垂直隔壁１２に食い込むように構成してもよく、特に、第３電極板（３）１１ｃを大きくして着色液体１７の移動先の層から移動元の層に外側から電場が入り込むのを防ぐ構成としてもよい。
【００７４】
なお着色液体（誘電体）は青、赤等の黒以外の色の着色であって良いし、水平、垂直の隔壁も白以外の色で着色されても構わない。
【００７５】
（第２実施形態）
図５は、本発明の第２実施形態に係る表示装置の１画素対応の構成を示す断面図である。
【００７６】
この第２実施形態の表示装置において、前記図１、図２で示した第１実施形態の表示装置と同一の構成部分については、それと同一の符号を付してその説明を省略する。
【００７７】
この第２実施形態の表示装置では、一辺ｗの正方形の第１電極板（１）１１ａと第２電極板（２）１１ｂとに挟まれて上層空間１４ａと下層空間１４ｂとを分離する水平隔壁（誘電体）１３′および第３電極板（３）１１ｃ′を、縦×横がｗ×（ｗ−ｈｗ′）の長方形として表示領域の一方の側の垂直隔壁１２の内側面に寄せて配置し、移動ホール１５′は縦×横がｗ×ｈｗ′の細長い長方形の連通孔として表示領域の他方の端の垂直隔壁１２の内側面に沿わせて設ける。
【００７８】
そして、前記長方形の移動ホール１５′に合わせて、縦×横がｗ×ｈｗ′、高さが２ｄ＋ｄｍの液体誘導材１８′を、第１電極板（１）１１ａと第２電極板（２）１１ｂとの間に接触挾持されるようにして立設する。
【００７９】
また、第２実施形態の表示装置では、前記第１実施形態の表示装置とは逆に、水平隔壁１３′の表面を黒色とし、着色液体（誘電体）１７′を白色の液体１７′として、着色液体１７′を上層空間１４ａに移動させた状態で白色表示、下層空間１４ｂに移動させた状態で黒色表示とする。これにより、移動ホール１５′ならびに液体誘導材１８′の平面積が第１実施形態の移動ホール１５ならびに液体誘導材１８に較べて細長く広くても、着色液体１７′を下層空間１４ｂに移動させた黒色表示の際には、当該液体誘導材１８′に対応した部分は表示領域の端の垂直隔壁１２の白色壁面に沿った白色となるので目立つことはない。
【００８０】
図６は、前記第２実施形態の表示装置において第２電極板（２）１１ｂと第３電極板（３）１１ｃ′を０Ｖとし第１電極板（１）１１ａに１０Ｖの正電圧を印加した場合の画素内空間の電位分布イメージを示す図である。
【００８１】
図７は、前記図６で示した画素内空間の電位分布イメージに対応する電場分布イメージを示す図である。
【００８２】
図６、図７にて示す通り、この際の電場は、第３電極板（３）１１ｃ′の上層側で最も強く、同第３電極板（３）１１ｃ′の下層側では殆どゼロとなり、液体誘導材１８′のある移動ホール１５′を含めたその上下やその近傍は、上層の強い電場と下層の略ゼロの電場をなだらかにつなげるように傾きを持った電場となる。
【００８３】
また、上層側において、液体誘導材１８′のある移動ホール１５′の上方近辺では当該移動ホール１５′から横にずれるほど電場は強くなり、下層側において、移動ホール１５′の下方近辺では逆に当該移動ホール１５′から横にずれるほど電場は弱くなる。
【００８４】
この場合に、着色液体１７′は、前記第１実施形態で述べたのと同じ原理の力を受け、移動ホール１５′にある液体誘導材１８′を通し、結果として電場の弱い領域から強い領域へと動いて最終的に上層空間１４ａへ移動し、その着色である白色を表示する。
【００８５】
このような構成にした第２実施形態の表示装置によれば、前記第１実施形態の表示装置と同様にして、表示内容を変えるときは小さな電力で大きな力を着色液体１７に作用させ、また表示内容を変えないときには特に電力を加える必要がなく、非常に低消費電力で、高コントラスト、且つ広い視野角の見やすい表示装置を実現できる。
【００８６】
そればかりでなく、移動ホール１５′ならびに液体誘導材１８′を奥行き方向に長い形状としたため、当該液体誘導材１８′の奥行き方向に略同様の毛細管現象と電場状況が得られ、着色液体１７′に対し、その移動開始の初期からより大きな力を与えて効率的に該液体１７′を移動させることができる。
【００８７】
また、この第２実施形態の表示装置によれば、移動ホール１５′ならびに液体誘導材１８′を表示領域の端に沿って設けているので、上層空間１４ａおよび下層空間１４ｂでの着色液体１７′の移動は同一空間内の全液体１７′が一方向への移動となり、液体同士の押し合いや引き合いを避け、より効率的に該液体１７′を移動させることができる。
【００８８】
なお、移動ホール１５′ならびに液体誘導材１８′を設けた側の垂直隔壁１２に対し、第１電極板（１）１１ａと第２電極板（２）１１ｂとを食い込ませて構成すれば、着色液体１７′に対しより強い電場による力を与えることができ、さらに高速に該液体１７′を移動させることができる。
【００８９】
（第３実施形態）
図８は、本発明の第３実施形態に係る表示装置の１画素対応の構成を示す断面図である。
【００９０】
この第３実施形態の表示装置において、前記図１、図２で示した第１実施形態の表示装置と同一の構成部分については、それと同一の符号を付してその説明を省略する。
【００９１】
この第３実施形態の表示装置では、正方形の移動ホール１５に対し、一辺ｈｗ×高さｄ＋ｄｍの正四角柱からなる液体誘導材１８ａを、上層空間１４ａの中央付近と下層空間１４ｂの中央付近との間に渡るように立設して構成する。
【００９２】
この第３実施形態において移動ホール１５に設ける液体誘導材１８ａは、同一長さ（ｄ＋ｄｍ）の多数の中空細管ケーブルを束ねて構成したもので、その一端が液体に浸されると毛細管現象の作用を来し他端まで浸透して常時液体で満たされた状態となる。
【００９３】
なお、各電極板（１）１１ａ〜（３）１１ｃに選択的に電圧を掛けることによる上層空間１４ａと下層空間１４ｂにおける電位・電場の状態、およびこれに伴う着色液体１７の移動による白色表示（図８参照）と黒色表示の表示動作については、前記第１実施形態の表示装置と略同様であるためその説明を省略するが、この第３実施形態でも、移動ホール１５に設けた液体誘導材１８ａには、常にその全体に下層空間１４ｂ側あるいは上層空間１４ａ側にある着色液体１７が浸透している状態となるので、着色液体１７の移動初期には当該液体１７の移動先端が液体誘導材１８ａの一端つまり第１または第２電極板（１）１１ａ，（２）１１ｂにほど近い上層空間１４ａまたは下層空間１４ｂの中央付近まで到達しており、着色液体１７には低い印加電圧でも移動初期から強い力を加えて高速に移動させることができる。またその移動後、予期せぬ外力に備えて、電圧をかけ続ける場合にも低い印加電圧で着色液体１７の位置を保持することができる。
【００９４】
したがって、前記構成の第３実施形態の表示装置によれば、前記第１実施形態の表示装置と同様にして、表示内容を変えるときは小さな電力で大きな力を着色液体１７に作用させ、また表示内容を変えないときには特に電力を加える必要がなく、非常に低消費電力で、高コントラスト、且つ広い視野角の見やすい表示装置を実現できる。
【００９５】
なお、この第３実施形態の表示装置における液体誘導材１８ａは、中空細管ケーブルを多数束ねたものとして構成したが、単なる線材を多数束ねて構成し前記同様の毛細管現象を作用させてもよい。
【００９６】
（第４実施形態）
図９は、本発明の第４実施形態に係る表示装置の１画素対応の構成を示す断面図である。
【００９７】
図１０は、前記第４実施形態に係る表示装置の周辺画素を含んだ構成を示す平面図である。
【００９８】
この第４実施形態の表示装置において、前記図５で示した第２実施形態の表示装置と同一の構成部分については、それと同一の符号を付してその説明を省略する。
【００９９】
この第４実施形態の表示装置では、長方形の移動ホール１５′に対して液体誘導材１８′は設けてなく、水平隔壁１３′の上面側の外周縁が接する４方の垂直隔壁１２それぞれの壁面位置と、同水平隔壁１３′の下面側の外周縁が接する４方の垂直隔壁１２それぞれの壁面位置、つまり上層空間１４ａの底面に沿った垂直隔壁１２の壁面部分と下層空間１４ｂの天面に沿った垂直隔壁１２の壁面部分に対して、その底面あるいは天面を囲む上層壁面の溝１９ａおよび下層壁面の溝１９ｂを設ける。
【０１００】
これによれば、各電極板（１）１１ａ，（２）１１ｂ，（３）１１ｃに対する選択的な電圧印加に応じて着色液体１７′を下層空間１４ｂに移動させた場合でも、上層壁面の溝１９ａには毛細管作用によって着色液体１７′が残留したままとなり、また着色液体１７′を上層空間１４ａに移動させた場合でも、下層壁面の溝１９ｂには同毛細管作用によって着色液体１７′が残留したままとなる。
【０１０１】
このため、着色液体１７′の移動初期において該液体１７′の移動の先端が移動先空間１４ａ（１４ｂ）の電極板１１ａ（１１ｂ）の近くにまで到達していなくても、前記水平隔壁１３′の上面または下面を囲むようにして設けた垂直隔壁１２の溝１９ａ（１９ｂ）に残留している着色液体１７′を足かがりにしてその液体移動が容易に開始されるようになり、高い電圧を印加せずに着色液体１７′の移動、つまり表示の切り換えを行うことができる。
【０１０２】
したがって、前記構成の第４実施形態の表示装置によれば、表示内容を変えるときは小さな電力で容易に着色液体１７を一方の空間から他方の空間へ移動させ、また表示内容を変えないときには特に電力を加える必要がなく、非常に低消費電力で、高コントラスト、且つ広い視野角の見やすい表示装置を実現できる。
【０１０３】
（第５実施形態）
図１１は、本発明の第５実施形態に係る表示装置の周辺画素部を含む１画素対応の構成を示す平面図である。
【０１０４】
この第５実施形態の表示装置において、前記図９で示した第４実施形態の表示装置と同一の構成部分については、それと同一の符号を付してその説明を省略する。
【０１０５】
この第５実施形態の表示装置では、前記第４実施形態の表示装置と同様に、水平隔壁１３′に設けられる移動ホール１５′は、画素一辺の垂直隔壁１２に沿った長方形の移動ホール１５′として設けられるが、垂直隔壁１２における上層壁面の溝１９ａおよび下層壁面の溝１９ｂは設けない。一方で、移動ホール１５′に面している一辺の垂直隔壁１２の該移動ホール１５′に面した側壁面には、上下層空間１４ａ，１４ｂに渡り連通する微細なスリットを移動ホール１５′の長さ方向に複数並べて配置するための複数の凸板部１２a1〜１２anを一体にして設けて構成する。
【０１０６】
これによれば、各電極板（１）１１ａ，（２）１１ｂ，（３）１１ｃに対する選択的な電圧印加に応じて着色液体１７′を下層空間１４ｂに移動させた場合でも、移動ホール１５′に面した垂直隔壁１２の複数の凸板部１２a1〜１２anにより形成される複数のスリットには、その毛細管作用によって上層空間１４ａのところまで着色液体１７′が残留したままとなり、また着色液体１７′を上層空間１４ａに移動させた場合でも、同移動ホール１５′に面した複数のスリットには、その毛細管作用によって下層空間１４ｂのところまで着色液体１７′が残留したままとなる。
【０１０７】
このため、着色液体１７′の移動初期（移動後）でも当該液体１７′の移動先端（移動後端）が複数の凸板部１２a1〜１２anにより形成される複数のスリットによって第１または第２電極板（１）１１ａ，（２）１１ｂにほど近い上層空間１４ａまたは下層空間１４ｂにまで残留する状態となり、着色液体１７′には低印加電圧でも移動初期から強い力を加えて高速に移動させることができ、また移動後、予期せぬ外力に備えて、電圧をかけ続ける場合にも低い印加電圧で着色液体１７の位置を保持することができる。
【０１０８】
したがって、前記構成の第５実施形態の表示装置によれば、前記第１実施形態の表示装置と同様にして、表示内容を変えるときは小さな電力で大きな力を着色液体１７に作用させ、また表示内容を変えないときには特に電力を加える必要がなく、非常に低消費電力で、高コントラスト、且つ広い視野角の見やすい表示装置を実現できる。
【０１０９】
（第６実施形態）
図１２は、本発明の第６実施形態に係る表示装置の周辺画素部を含む１画素対応の構成を示す平面図である。
【０１１０】
この第６実施形態の表示装置において、前記図９で示した第４実施形態の表示装置と同一の構成部分については、それと同一の符号を付してその説明を省略する。
【０１１１】
この第６実施形態の表示装置では、前記第４実施形態の表示装置と同様に、水平隔壁１３′に設けられる移動ホール１５′は、画素一辺の垂直隔壁１２に沿った長方形の移動ホール１５′として設けられるが、垂直隔壁１２における上層壁面の溝１９ａおよび下層壁面の溝１９ｂは設けない。一方で、移動ホール１５′に面している一辺の垂直隔壁１２の側壁面には、上下層空間１４ａ，１４ｂに渡る微細なスリット１２b1〜１２bnを移動ホール１５′の長さ方向に複数並列に形成して配置する。
【０１１２】
これによれば、各電極板（１）１１ａ，（２）１１ｂ，（３）１１ｃに対する選択的な電圧印加に応じて着色液体１７′を下層空間１４ｂに移動させた場合でも、移動ホール１５′に面した垂直隔壁１２の複数のスリット１２b1〜１２bnにはその毛細管作用によって上層空間１４ａのところまで着色液体１７′が残留したままとなり、また着色液体１７′を上層空間１４ａに移動させた場合でも、同移動ホール１５′に面した複数のスリット１２b1〜１２bnにはその毛細管作用によって下層空間１４ｂのところまで着色液体１７′が残留したままとなる。
【０１１３】
このため、着色液体１７′の移動初期（移動後）でも当該液体１７′の移動先端（移動後端）が垂直隔壁１２に形成した複数のスリット１２b1〜１２bnによって第１または第２電極板（１）１１ａ，（２）１１ｂにほど近い上層空間１４ａまたは下層空間１４ｂにまで残留した状態となり、着色液体１７′には低印加電圧でも移動初期から強い力を加えて高速に移動させることができ、また移動後、予期せぬ外力に備えて、電圧をかけ続ける場合にも低い印加電圧で着色液体１７の位置を保持できる。
【０１１４】
したがって、前記構成の第６実施形態の表示装置によれば、前記第１実施形態の表示装置と同様にして、表示内容を変えるときは小さな電力で大きな力を着色液体１７に作用させ、また表示内容を変えないときには特に電力を加える必要がなく、非常に低消費電力で、高コントラスト、且つ広い視野角の見やすい表示装置を実現できる。
【０１１５】
（第７実施形態）
図１３は、本発明の第７実施形態に係る表示装置の１画素対応の構成を示す断面図である。
【０１１６】
図１４は、前記第７実施形態に係る表示装置の周辺画素を含んだ構成を示す平面図である。
【０１１７】
この第７実施形態の表示装置において、前記図５で示した第２実施形態の表示装置と同一の構成部分については、それと同一の符号を付してその説明を省略する。
【０１１８】
この第７実施形態の表示装置では、長方形の移動ホール１５′に対して毛細管現象を作用させる液体誘導材１８′は設けてなく、これに替わり着色液体１７′を移動ホール１５′の部分で誘導する補助部材として、高さが例えば第２電極板（２）１１ｂ上から上層空間１４ａの中央付近まで届くｄ＋ｄｍ＋ｄ／２とし、長さが移動ホール１５′に収まる長さとした液体誘導板２０を該移動ホール１５′の幅の中心線に合わせて第２電極板（２）１１ｂ上に立設する。
【０１１９】
これによれば、各電極板（１）１１ａ，（２）１１ｂ，（３）１１ｃに対する選択的な電圧印加に応じて着色液体１７′を下層空間１４ｂに移動させた場合でも、下層空間１４ｂの側から立設されて移動ホール１５′から上層空間１４ａへと突き出た液体誘導板２０の部分には、着色液体１７′がその固体の表面張力によって残留したままとなり、また着色液体１７′を上層空間１４ａに移動させた場合でも、下層空間１４ｂに立設されている液体誘導板２０に沿って着色液体１７′が残留したままとなる。
【０１２０】
このため、着色液体１７′の移動初期において該液体１７′の移動の先端が移動先空間１４ａ（１４ｂ）の電極板１１ａ（１１ｂ）にまで到達していなくても、前記移動ホール１５′を通した液体誘導板２０に沿って残留している着色液体１７′を足かがりにしてその液体移動が容易に開始されるようになり、高い電圧を印加せずに着色液体１７′の移動、つまり表示の切り換えを行うことができる。
【０１２１】
したがって、前記構成の第７実施形態の表示装置によれば、表示内容を変えるときは小さな電力で容易に着色液体１７を一方の空間から他方の空間へ移動させ、また表示内容を変えないときには特に電力を加える必要がなく、非常に低消費電力で、高コントラスト、且つ広い視野角の見やすい表示装置を実現できる。
【０１２２】
なお、前記図１３、図１４における第７実施形態の表示装置では、移動ホール１５′に対応して着色液体１７′を誘導する補助部材として、１枚の液体誘導板２０を設けて構成したが、次の図１５における第７実施形態（変形例）の表示装置に示すように、前記液体誘導板２０に高さが同じ複数本の液体誘導棒２０ａ，２０ｂ，…を移動ホール１５′の幅の中心線に合わせて第２電極板（２）１１ｂ上に等間隔で立設配置して構成してもよい。
【０１２３】
図１５は、前記第７実施形態の変形例に係る表示装置の周辺画素を含んだ構成を示す平面図である。
【０１２４】
これによれば、前記第７実施形態同様に、各電極板（１）１１ａ，（２）１１ｂ，（３）１１ｃに対する選択的な電圧印加に応じて着色液体１７′を下層空間１４ｂに移動させた場合でも、下層空間１４ｂの側から立設されて移動ホール１５′から上層空間１４ａへと突き出た複数本の液体誘導棒２０ａの部分には、何れも着色液体１７′がその固体の表面張力によって残留したままとなり、また着色液体１７′を上層空間１４ａに移動させた場合でも、下層空間１４ｂに立設されている複数本の液体誘導棒２０ａに沿って着色液体１７′が残留したままとなる。
【０１２５】
このため、着色液体１７′の移動初期において該液体１７′の移動の先端が移動先空間１４ａ（１４ｂ）の電極板１１ａ（１１ｂ）にまで到達していなくても、前記移動ホール１５′を通した複数本の液体誘導棒２０ａに沿って残留している着色液体１７′を足かがりにしてその液体移動が容易に開始されるようになり、高い電圧を印加せずに着色液体１７′の移動、つまり表示の切り換えを行うことができる。
【０１２６】
なお、前記図１３、図１４、図１５に示した実施形態の表示装置では、移動ホール１５′に対応して着色液体１７′を誘導する補助部材を、第２電極板（２）１１ｂ上から立設させる構成としたが、第１電極板（１）１１a側から設ける構成してもよい。
【０１２７】
（第８実施形態）
図１６は、本発明の第８実施形態に係る表示装置を説明するための液体濡れ特性の履歴現象を示すイメージ図である。
【０１２８】
図１７は、前記第８実施形態に係る表示装置の表示動作を説明するための断面図であり、同図（Ａ）は黒色表示状態を示す断面図、同図（Ｂ）は黒色〜白色表示への切り換え表示状態を示す断面図である。
【０１２９】
この第８実施形態の表示装置では、前記図５〜図７で示した第２実施形態の表示装置から毛細管現象を作用させる液体誘導材１８′を除いた構成とし、着色液体１７ａが移動する上下層空間１４ａ，１４ｂおよび移動ホール１５′の全固体表面と該着色液体１７ａとを完全な濡れの関係として用いる。
【０１３０】
固体の表面張力をγｓ、液体の表面張力をγ、固体と液体の界面張力をγｓｌとすると、γｓがγ＋γｓｌよりも大きいときには、液体は固体表面に対して自発的に広がる。これを完全な濡れと呼ぶ。
【０１３１】
例えば、図１６（Ａ）に示すように、液体Ｌを固体表面Ｅに対して滴下し矢印Ｐで示すように注入した際に、この液滴Ｌが固体表面Ｅ上を矢印Ｆで示す方向に広がり始める時点の該液滴Ｌの周端でのなす角度を前進角θａとし、その逆に図１６（Ｂ）に示すように、固体表面Ｅ上の液滴Ｌを矢印Ｑで示すように吸出した際に、この液滴Ｌが固体表面Ｅ上を矢印Ｒで示す方向に引き始める時点の該液滴Ｌの周端でのなす角度を後退角θｒとすると、この液滴Ｌの前進角θａおよび後退角θｒが何れも小さくなるほど液体Ｌは濡れ特性が高いとされる。
【０１３２】
通常の濡れ特性のそれ程高くない液体を用いる場合は前進角θａと後退角θｒの差として見られる履歴現象が現れ、液体は動きにくいが、濡れ特性の高い完全な濡れ状態となる液体を用いれば、前進角θａ、後退角θｒはともに現れず（０度となり）、表面との直接の摩擦を受けず、非常に動きやすくなる。
【０１３３】
すなわち、この第８実施形態の表示装置では、固体面に対し濡れ特性の高い着色液体１７ａとして、例えばエタノールを原料とした着色液体１７ａを使用するもので、このように濡れ特性の高い着色液体１７ａを使用することで、図１７に示すように、当該着色液体１７ａを封入する上下層空間１４ａ，１４ｂの表面には、その空間表面全域において常に液体薄膜１７ｘを形成したままにすることができる。なお、この液体薄膜１７ｘは非常に薄いため略透明であり、該着色液体１７ａの色（この場合は白色）が水平隔壁１３′の表面の色（この場合は黒色）に影響を及ぼすことはない。
【０１３４】
例えば図１７（Ａ）に示すように、各電極板（１）１１ａ，（２）１１ｂ，（３）１１ｃ′に対する選択的な電圧印加によって着色液体１７ａを下層空間１４ｂへ移動させた状態では、上層空間１４ａの空間表面にはその全域に液体薄膜１７ｘが形成されたままになるので、これにより、図１７（Ｂ）に示すように、着色液体１７ａを移動ホール１５′を通して上層空間１４ａへ移動させる際には、その着色液体１７ａの本体部に対して液体薄膜１７ｘを通し移動初期から強い電場による力が加えられるようになり、しかも該着色液体１７ａは水平隔壁１３や垂直隔壁１２そして第１，第２電極板（１）１１ａ，（２）１１ｂそれぞれの表面との直接の摩擦を受けずに非常に小さな抵抗で移動されるようになる。
【０１３５】
したがって、前記構成の第８実施形態の表示装置によれば、誘電体の着色液体１７ａとして濡れ特性の高い液体（１７ａ）を使用することで上下層空間１４ａ，１４ｂの表面には常にその液体薄膜１７ｘを形成残存させることができ、表示内容を変えるときは小さな電力で容易に着色液体１７ａを一方の空間から他方の空間へ移動させることができる。また表示内容を変えないときには特に電力を加える必要がなく、非常に低消費電力で、高コントラスト、且つ広い視野角の見やすい表示装置を実現できる。
【０１３６】
なお、この第８実施形態の表示装置において、濡れ特性の高い誘電体の着色液体１７ａを低い印加電圧によって容易に移動可能とするには、該着色液体１７ａを上下層空間１４ａ，１４ｂの全域に渡り一旦移動させてその表面全体に液体薄膜１７ｘが形成されることが必要になるが、自発的な濡れを待たずに、強制的に濡らしてこの時間を短縮してもよい。例えばこの表示装置の製造に伴い一旦高い電圧を印加して着色液体１７ａを上下層空間１４ａ，１４ｂで移動させるか、あるいは電源の投入に伴う初期動作時にのみこれを行うようにすればよい。
【０１３７】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【０１３８】
【図１】本発明の第１実施形態に係る表示装置の１画素対応の構成を示す断面図。
【図２】前記第１実施形態に係る表示装置の表示動作を説明するための断面図であり、同図（Ａ）は白色表示状態を示す断面図、同図（Ｂ）は黒色表示状態を示す断面図。
【図３】前記第１実施形態の表示装置において第２電極板（２）１１ｂと第３電極板（３）１１ｃを０Ｖとし第１電極板（１）１１ａに１０Ｖの正電圧を印加した場合の画素内空間の電位分布イメージを示す図。
【図４】前記図３で示した画素内空間の電位分布イメージに対応する電場分布イメージを示す図。
【図５】本発明の第２実施形態に係る表示装置の１画素対応の構成を示す断面図。
【図６】前記第２実施形態の表示装置において第２電極板（２）１１ｂと第３電極板（３）１１ｃ′を０Ｖとし第１電極板（１）１１ａに１０Ｖの正電圧を印加した場合の画素内空間の電位分布イメージを示す図。
【図７】前記図６で示した画素内空間の電位分布イメージに対応する電場分布イメージを示す図。
【図８】本発明の第３実施形態に係る表示装置の１画素対応の構成を示す断面図。
【図９】本発明の第４実施形態に係る表示装置の１画素対応の構成を示す断面図。
【図１０】前記第４実施形態に係る表示装置の周辺画素を含んだ構成を示す平面図。
【図１１】本発明の第５実施形態に係る表示装置の周辺画素部を含む１画素対応の構成を示す平面図。
【図１２】本発明の第６実施形態に係る表示装置の周辺画素部を含む１画素対応の構成を示す平面図。
【図１３】本発明の第７実施形態に係る表示装置の１画素対応の構成を示す断面図。
【図１４】前記第７実施形態に係る表示装置の周辺画素を含んだ構成を示す平面図。
【図１５】前記第７実施形態の変形例に係る表示装置の周辺画素を含んだ構成を示す平面図。
【図１６】本発明の第８実施形態に係る表示装置を説明するための液体濡れ特性の履歴現象を示すイメージ図。
【図１７】前記第８実施形態に係る表示装置の表示動作を説明するための断面図であり、同図（Ａ）は黒色表示状態を示す断面図、同図（Ｂ）は黒色〜白色表示への切り換え表示状態を示す断面図。
【符号の説明】
【０１３９】
１１ａ…第１電極板（１）
１１ｂ…第２電極板（２）
１１ｃ、１１ｃ′…第３電極板（３）
１２…垂直隔壁（誘電体）
１２a1〜１２an…垂直隔壁の凸板部
１２b1〜１２b2…垂直隔壁のスリット
１３、１３′…水平隔壁（誘電体）
１４ａ…上層空間
１４ｂ…下層空間
１５、１５′…移動ホール
１６  …ガラス板
１７、１７′…着色液体（誘電体）
１７ａ…高濡れ特性着色液体（誘電体）
１７ｘ…高濡れ特性着色液体の薄膜
１８、１８′、１８ａ…液体誘導材
１９ａ…上層壁面の溝
１９ｂ…下層壁面の溝
２０  …液体誘導板
２０ａ，２０ｂ，…液体誘導棒
【図１】
2006106501.tif 000003
【図２】
2006106501.tif 000004
【図３】
2006106501.tif 000005
【図４】
2006106501.tif 000006
【図５】
2006106501.tif 000007
【図６】
2006106501.tif 000008
【図７】
2006106501.tif 000009
【図８】
2006106501.tif 000010
【図９】
2006106501.tif 000011
【図１０】
2006106501.tif 000012
【図１１】
2006106501.tif 000013
【図１２】
2006106501.tif 000014
【図１３】
2006106501.tif 000015
【図１４】
2006106501.tif 000016
【図１５】
2006106501.tif 000017
【図１６】
2006106501.tif 000018
【図１７】
2006106501.tif 000019